(57)【要約】      （修正有）【課題】遊戯内容を分かりやすくして利用者の満足度を得やすくし、装置構成を容易にして小型化した景品獲得装置及び景品獲得装置用パネルを提供する。【解決手段】景品収納部１０内で水平方向及び垂直方向に駆動自在に配置され、貫通棒１２１を有する景品獲得手段１２ａ，１２ｂと、景品収納部１０内で景品獲得手段１２ａ，１２ｂより下方に配置され、下方向に駆動された景品獲得手段１２ａ，１２ｂの貫通棒１２１が貫通する貫通孔１１１を有するパネル１１と、貫通孔１１１の下部に配置され、貫通孔１１１を塞ぐ閉塞部を有するとともに、景品を吊るす吊部を有し、当該吊部に景品を保持する保持手段と、貫通孔１１１を貫通した貫通棒１２１の先端で閉塞部が押圧されると、回転軸を中心として吊部に吊るされた景品が落下する角度まで保持手段が回転するように保持手段を支持する支持手段とを備える。【選択図】図１
0003167144.tif 000002
【実用新案登録請求の範囲】
【請求項１】
利用者の操作に基づいて景品収納部内に設置される景品を内部から外部に排出する景品獲得装置であって、
前記景品収納部内で水平方向及び垂直方向に駆動自在に配置され、貫通棒を有する景品獲得手段と、
前記景品収納部内で前記景品獲得手段より下方に配置され、下方向に駆動された前記景品獲得手段の前記貫通棒が貫通する貫通孔を有するパネルと、
前記貫通孔の下部に配置され、前記貫通孔を塞ぐ閉塞部を有するとともに、景品を吊るす吊部を有し、当該吊部に景品を保持する保持手段と、
前記貫通孔を貫通した前記貫通棒の先端で前記閉塞部が押圧されると、回転軸を中心として前記吊部に吊るされた景品が落下する角度まで前記保持手段が回転するように前記保持手段を支持する支持手段と、
を備えることを特徴とする景品獲得装置。
【請求項２】
前記景品収納部内に設置され、前記パネルを載置する載置手段と、
前記載置に載置されるパネルを水平方向にスライドするスライド機構と、
を備えることを特徴とする請求項１に記載の景品獲得装置。
【請求項３】
利用者の操作に基づいて水平方向及び垂直方向に駆動されるとともに貫通棒を有する景品取得手段を利用して前記景品収納部内に設置される景品を内部から外部に排出する景品獲得装置において前記景品取得手段より下方に配置され、下方向に駆動された前記景品獲得手段の前記貫通棒が貫通する貫通孔を有する景品獲得装置用パネルであって、
前記貫通孔の下部で前記貫通孔を塞ぐ閉塞部を有するとともに、景品を吊るす吊部を有し、当該吊部に景品を保持する保持手段と、
前記貫通孔を貫通した前記貫通棒の先端で前記閉塞部が押圧されると、回転軸を中心として前記吊部に吊るされた景品が落下する角度まで前記保持手段が回転するように前記保持手段を支持する支持手段と、
を備えることを特徴とする景品獲得装置用パネル。
【考案の詳細な説明】
【技術分野】
【０００１】
本考案は、利用者の操作に基づいて、景品を景品排出口から排出する景品獲得装置及びこの景品獲得装置で利用する景品獲得装置用パネルに関する。
【背景技術】
【０００２】
昨今、ゲームセンター等の遊戯施設には、利用者が景品を獲得することのできる景品獲得装置が設置されることが多い。例えば、主流のクレーン型景品獲得装置では、利用者が獲得しようとする景品を収納する景品収納部と、この景品収納部内に設けられたクレーンと、この景品収納部内でクレーンを所望位置に移動させる駆動機構と、クレーンで把持することのできた景品を景品収納部から排出する景品排出口とを備えている。
【０００３】
近年では、クレーン型景品獲得装置以外にも様々な景品獲得措置が設置されている。例えば、景品をハンガー部材に係止し、支持リングで支持されるハンガー部材に打撃バーを当てることで景品を獲得する景品獲得装置もある（例えば、特許文献１参照）。また、この景品載置棚板上に景品を載置したうえで押付手段で押し付けることで、景品を景品獲得装置から排出する装置もある（例えば、特許文献２参照）。
【０００４】
しかしながら、上述した特許文献１に記載の装置では、景品獲得のための機構が装置の上方にあるため、利用者は景品獲得の様子を視認しにくい。また、特許文献１に記載の装置では打撃バーがハンガー部材等に当たったとしても、ハンガー部材が支持リングから落下しない場合、利用者は商品を獲得することができないが、どのように打撃バーを当てればよいのか利用者は把握しにくい。すなわち、特許文献１に記載の装置では、遊戯内容が分かりにくく、利用者が十分に満足することができない問題がある。
【０００５】
特許文献２に記載の装置では、景品を載置する景品載置棚板を枢結部で壁面に枢結するとともに棚板支持部で支持している。そのため、引用文献２に記載の装置の場合、景品載置棚板の設置には壁面が必要であるとともに景品載置棚板、棚板支持部、押付手段等、１つの景品を設置するためのスペースが広く必要になるとともに、構成も複雑になる。また、引用文献２に記載の装置の場合、景品載置棚板を装置の壁面と接続させなければならないため、新たな景品の載置や不具合が生じた場合の修理等の調整が困難である。
【先行技術文献】
【特許文献】
【０００６】
【特許文献１】特許第３８２２７０６号公報
【特許文献２】特開２００６−３３４２７０号公報
【考案の概要】
【考案が解決しようとする課題】
【０００７】
上述したように、従来の景品獲得装置には、遊戯内容が複雑であり利用者の満足度が得られにくい、装置構成が複雑であり小型化が困難である等の課題があった。
【０００８】
上記課題に鑑み、本考案では、遊戯内容を分かりやすくして利用者の満足度を得やすくし、装置構成を容易にして小型化することができる景品獲得装置及びこの景品獲得装置で利用する景品獲得装置用パネルを提供する。
【課題を解決するための手段】
【０００９】
上記目的を達成するため、本考案に係る景品獲得装置の第１の特徴は、利用者の操作に基づいて景品収納部内に設置される景品を内部から外部に排出する景品獲得装置であって、前記景品収納部内で水平方向及び垂直方向に駆動自在に配置され、貫通棒を有する景品獲得手段と、前記景品収納部内で前記景品獲得手段より下方に配置され、下方向に駆動された前記景品獲得手段の前記貫通棒が貫通する貫通孔を有するパネルと、前記貫通孔の下部に配置され、前記貫通孔を塞ぐ閉塞部を有するとともに、景品を吊るす吊部を有し、当該吊部に景品を保持する保持手段と、前記貫通孔を貫通した前記貫通棒の先端で前記閉塞部が押圧されると、回転軸を中心として前記吊部に吊るされた景品が落下する角度まで前記保持手段が回転するように前記保持手段を支持する支持手段とを備えることにある。
【００１０】
本考案に係る景品獲得装置の第２の特徴は、前記景品収納部内に設置され、前記パネルを載置する載置手段と、前記載置に載置されるパネルを水平方向にスライドするスライド機構とを備えることにある。
【００１１】
本考案に係る景品獲得装置の第３の特徴は、利用者の操作に基づいて水平方向及び垂直方向に駆動されるとともに貫通棒を有する景品取得手段を利用して前記景品収納部内に設置される景品を内部から外部に排出する景品獲得装置において前記景品取得手段より下方に配置され、下方向に駆動された前記景品獲得手段の前記貫通棒が貫通する貫通孔を有する景品獲得装置用パネルであって、前記貫通孔の下部で前記貫通孔を塞ぐ閉塞部を有するとともに、景品を吊るす吊部を有し、当該吊部に景品を保持する保持手段と、前記貫通孔を貫通した前記貫通棒の先端で前記閉塞部が押圧されると、回転軸を中心として前記吊部に吊るされた景品が落下する角度まで前記保持手段が回転するように前記保持手段を支持する支持手段とを備えることにある。
【考案の効果】
【００１２】
本考案に係る景品獲得装置によれば、遊戯内容を分かりやすくして利用者の満足度を得やすくし、装置構成を容易にして小型化することができる。
【図面の簡単な説明】
【００１３】
【図１】実施形態に係る景品獲得装置の斜視図である。
【図２】実施形態に係る景品獲得装置用パネルの斜視図である。
【図３】実施形態に係る景品獲得装置用パネルの横面図である。
【図４】変形例に係る景品獲得装置の斜視図である。
【考案を実施するための形態】
【００１４】
以下、本考案の一実施形態に係る景品獲得装置及び景品獲得装置用パネルについて説明する。図１に示すように、本考案の一実施形態に係る景品獲得装置１は、利用者の操作に基づいて、景品収納部１０の内部に配置される景品を景品排出口１４ａ，１４ｂを介して景品獲得装置１の内部から外部に排出する装置である。また、本考案の一実施形態に係る景品獲得装置用パネル（パネル１１）は、図１に示すような景品獲得装置１の内部に設置され、利用される。
【００１５】
景品獲得装置１は、少なくとも一部が透明で内部が視認可能な景品収納部１０と、景品収納部１０内に設けられ、水平方向（ｘｙ方向）及び垂直方向（ｚ方向）に駆動自在な景品獲得手段１２ａ，１２ｂと、景品獲得手段１２ａ，１２ｂを所望位置に移動させる駆動機構１３と、景品収納部１０内で景品獲得手段１２ａ，１２ｂの下方に配置されるパネル１１と、景品収納部１０内の景品を排出する景品排出口１４ａ，１４ｂと、利用者が景品獲得手段１２ａ，１２ｂの駆動操作に利用する操作ボタン等を有する操作部１５とを備えている。ここで、図１に示すように、景品獲得手段１２ａ，１２ｂは、それぞれ貫通棒１２１を有している。図２に示すように、景品収納部１０内にはパネル１１を載置する載置部１０１が設けられ、景品獲得装置１ではこの載置部１０１でパネル１１を支えている。
【００１６】
また、景品獲得装置１は複数のパネル１１ａ〜１１ｆを備えることができる。パネル１１には、図３に示すように、貫通孔１１１が形成されるとともに、利用者の獲得する景品２を保持する保持手段１１４と保持手段１１４を支持する支持手段１１２とを有している。具体的には、保持手段１１４は、指示手段１１２によって、回転軸１１３を軸として回転自在にされている。また、保持手段１１４は、パネル１１の下面で貫通孔１１１を塞ぐ閉塞部１１４１と、景品２を吊るす吊部１１４２と、保持手段１１４の位置を保つ錘１１４３とを有している。保持手段１１４は、支持手段１１２によって回転自在に支持されているが、保持手段１１４に対して上方から押圧されていない場合には錘１１４３によって、パネル１１と閉塞部１１４１の一部が接するように調整されている。景品獲得装置１で利用者の獲得対象である景品２には、例えば、紐やチェーン等が取り付けられており、吊部１１４２に吊るされて景品収納部１０内で収納されている。
【００１７】
ここで、景品獲得装置１では、景品収納部１０内で景品２を利用者に視認可能に収納しておくことが好ましい。図１等では図示していないが、例えば、パネル１１を透明部材にして景品２をパネル１１上から視認可能にしたり、載置部１０１の高さを調節して景品収納部１０の透明な部分から景品２を視認可能にすることが考えられる。
【００１８】
利用者は、操作部１５に設けられる操作ボタン等を操作し、景品獲得手段１２ａ，１２ｂをパネル１１に形成される貫通孔１１１上に移動させるとともに垂直方向（下方向）に移動させる。これにより、利用者は、貫通棒１２１の先端をパネル１１に近づけるとともに貫通孔１１１に貫通させて保持手段１１４で保持される景品を保持手段１１４から落下させることにより、景品２を獲得することができる。
【００１９】
具体的には、利用者は、操作部１５を利用して駆動機構１３を介して景品獲得手段１２ａを水平方向に操作し、図２（ａ）及び図３（ａ）に示すように、貫通棒１２１がパネル１１に形成される貫通孔１１１の上方に位置するように位置調整する。
【００２０】
利用者は、景品獲得手段１２ａを水平方向に位置調整すると、操作部１５を利用して景品獲得手段１２ａを下方向に移動させて貫通棒１２１の先端をパネル１１に近づけた後、図２（ｂ）及び図３（ｂ）に示すように、貫通棒１２１を貫通孔１１１に貫通させる。例えば、景品獲得装置１では、水平方向の位置調整が終了した終了信号が入力されることで、景品獲得手段１２ａ垂直方向の移動を開始するように設定することができる。
【００２１】
貫通棒１２１が貫通孔１１１を貫通されて貫通棒１２１先端が閉塞部１１４１と接触して、景品獲得手段１２ａが更に下方向に移動されると、貫通棒１２１によって閉塞部１１４１が押圧されることで、景品２を吊るしている保持手段１１４が回転軸１１３を軸として回転する。図３（ｃ）に示すように、保持手段１１４の回転角度が吊部１１４２で吊るす景品２を保持できない所定の角度を超えたとき、景品２は保持手段１１４から落下する。
【００２２】
ここで、貫通棒１２１の位置が貫通孔１１１の位置とずれている場合には貫通棒１２１は貫通孔１１１を貫通できない。一方、貫通棒１２１の位置を貫通孔１１１上に合わせることができた場合には貫通棒１２１を貫通孔１１１に通過させることができるため、貫通棒１２１は閉塞部１１４１を押圧して利用者は景品２を獲得することができる。したがって、景品獲得装置１では、図２（ａ）及び図３（ａ）を用いて上述した位置調整が重要になる。
【００２３】
図示を用いた説明は省略するが、保持手段１１４から落下した景品２は景品収納部１０内に設けられる誘導路を介して景品排出口１４ａから排出され、利用者が景品２を獲得することができる。
【００２４】
なお、例えば、貫通棒１２１は、パネル１１と錘１１４３とが接触するまで貫通孔１１１を貫通されて景品２が落下すると、景品獲得手段１２ａが再び上方向に駆動されて元の高さに移動され、パネル１１と錘１１４３とが接触した状態で終了される。
【００２５】
景品獲得手段１２ｂの構成及び機能は景品獲得手段１２ａの構成及び機能と同一であるため、ここでは説明を省略する。
【００２６】
ここで、図１及び図２では、パネル１１を載置する載置部１０１は格子状であって、全ての格子枠にそれぞれ貫通孔１１１を有するパネル１１を載置した例を示しているが、載置部１０１の形状やパネル１１の載置方法についてはこれに限定されない。例えば、全ての格子枠にパネル１１を載置せず、選択された格子枠にのみパネル１１を載置することもできる。
【００２７】
上述したように、本考案の一実施形態に係る景品獲得装置１では、貫通孔１１１や保持手段１１４を有するパネル１１を利用することで、貫通棒１２１の位置を貫通孔１１１上に合わせることができれば、利用者は景品を獲得することができる。したがって、利用者に遊戯内容を分かりやすくして利用者の満足度を得やすくすることができる。
【００２８】
また、本考案の一実施形態に係る景品獲得装置１では、景品２の保持手段１１４や保持手段１１４を支持する支持手段１１２を有するパネル１１をコンパクトなユニットとして扱うことができる。すなわち、パネル１１のみが取り外し可能であって、景品収納部１０内で状況に応じて配置形態を変更することもできる。したがって、景品収納部１０内への景品２の配置や、メンテナンス等を容易にするばかりでなく、パネル１１の配置変更により容易にレイアウト変更を実現し、景品２獲得の難易度等を調整したり、変化を与えて利用者を楽しませることができる。また、このパネル１１は、パネル１１の面積内に収まる回転軸１１３と錘１１４３を利用した構成で景品２の支持手段１１２を回転させるユニットである。したがって、パネル１１における動作が隣接して設置される他のパネルに影響することなく、一つのパネル１１の狭い範囲内で景品２落下のための動作を完結させることができる。
【００２９】
〈変形例〉
図４を用いて、本考案の一実施形態の変形例に係る景品獲得装置１ａについて説明する。景品獲得装置１ａは、図１を用いて上述した景品獲得装置１と比較して、パネル１１とパネル１１を配置する載置部１０１の形状とが異なる。
【００３０】
図１を用いて上述した景品獲得装置１では、貫通孔１１１や保持手段１１４等をそれぞれ１組づつ有するパネルを配置していた。これに対し、図４に示す景品獲得装置１ａでは、複数の貫通孔１１１を有するパネル１１を備えている。図４では図示を省略しているが、パネル１１の各貫通孔１１１の下側には、図３を用いて上述した場合と同様に支持手段１１２、回転軸１１３及び保持手段１１４がそれぞれ設けられている。仮に、パネル１１が備える全ての保持手段１２４でそれぞれ景品２を保持している場合、いずれの貫通孔１１１に貫通棒１２１を貫通させても景品２を獲得することができる。
【００３１】
すなわち、支持手段１１２、回転軸１１３及び保持手段１１４を利用して景品を保持するとともに落下させる場合には隣接する他の保持手段等に影響することなく一定の狭い範囲内で景品２落下のための動作を完結することができるため、１枚のパネル１１に複数の貫通孔１１１、支持手段１１２、回転軸１１３及び保持手段１１４を設けることができる。
【００３２】
また、図１を用いて上述した景品獲得装置１では、格子状の載置部１０１にパネルを配置していた。これに対し、図４に示す景品獲得装置１ａでは、載置部１０１は、格子形状ではなく、スライド機構１０２を有する２本のレールであって、パネル１１を水平方向にスライドさせることができる。例えば、図４（ａ）に示すように載置部１０１に載置されるパネル１１を操作部１５に対して移動機構１０２を利用して前後方向にスライド移動させることができる。
【００３３】
このようにパネル１１を前後方向にスライド移動させることで、操作部１５に貫通孔１１１の位置を近づけたり、操作部１５から貫通孔１１１の位置を遠ざけたりすることができ、操作部１５を操作する利用者に対し、景品獲得の難易度を調整することができる。なお、パネル１１を左右方向にスライド可能にすることでパネル１１の位置を変化させ、利用者が飽きないようにすることができる。
【００３４】
上述したように、変形例に係る景品獲得装置１ａのように複数の貫通孔１１１等を設けたパネル１１を利用する場合、設置するパネル１１の枚数を減らすことができ、パネルの載置を容易にすることができる。また、変形例に係る景品獲得装置１ａのようにパネルの位置を水平方向にスライド可能にすることで、操作に変化を与えたり、景品獲得の難易度を変化させたり、利用者が飽きないようにすることができる。
【００３５】
その他、図１乃至図４を用いて上述して例では、貫通棒１２１の断面形状及び貫通孔１１１の形状は円形であったが、貫通棒１２１が貫通孔１１１を貫通することができれば、その形状は限定しない。このとき、貫通棒１２１の大きさが貫通孔１１１に近いほうが貫通棒１２１を貫通孔１１１に貫通させにくくなるため、利用者による景品獲得の難易度が高くなる。
【００３６】
また、難易度調整のため、貫通棒１２１の長さを伸縮自在にするようにしてもよい。すなわち、貫通棒１２１の長さを短く調整した場合には難易度が高くなり、貫通棒１２１の長さを長く調整した場合には難易度が低くなる。
【符号の説明】
【００３７】
１，１ａ…景品獲得装置
１０…景品収納部
１０１…載置部
１１，１１ａ〜１１ｆ…パネル
１１１…貫通孔
１１２…支持手段
１１３…回転軸
１１４…保持手段
１１４１…閉塞部
１１４２…吊部
１１４３…錘
１２ａ，１２ｂ…景品獲得手段
１２１…貫通棒
１３…駆動機構
１４ａ，１４ｂ…景品排出口
１５…操作部
２…景品
【図１】
0003167144.tif 000003
【図２】
0003167144.tif 000004
【図３】
0003167144.tif 000005
【図４】
0003167144.tif 000006